(57)【要約】【課題】中間調領域の風紋を目立たなくすることにより画像劣化を防止する。【解決手段】印刷ジョブに含まれる画像データに一定領域の中間調画像があり、かつ、所定以上のギャップで印字する場合、インクジェットヘッドにより印刷することで発生すると予想した風紋画像の画像データである風紋画像データと風紋画像の濃淡を反転させた風紋反転画像の画像データである風紋反転画像データを生成する条件を有した補正テーブルに基づいて、中間調画像データがあると判断された一色を第１の色として入力された画像データの画像をインクジェットのノズルからインクを吐出して印刷用紙に印刷させ、第１色と同系色を第２の色として風紋反転画像データの風紋反転画像を風紋画像に重なるように印刷させる吐出制御手段と、を備えるインクジェット印刷装置。【選択図】図４
2017159493.tif 000002
【特許請求の範囲】
【請求項１】
搬送経路の上方に配置したインクジェットヘッドを有し、印刷ジョブに基づいて、前記インクジェットヘッドの各ノズルから複数色のインクを吐出して印刷用紙に印刷するインクジェット印刷装置であって、
前記印刷ジョブとして入力された各色の画像データに一定領域の中間調画像があるか否かを判断する画像判断部と、
前記インクジェットヘッドのノズル面と前記搬送経路上で搬送される印刷用紙の間隔であるギャップ量を取得するギャップ判断部と、
前記画像判断部により中間調画像があると判断され、前記ギャップ判断部により取得されたギャップ量が所定以上である場合に、前記画像データを制御対象画像データであると判定する判定部と、
前記制御対象画像データを前記インクジェットヘッドにより印刷することで発生すると予想した風紋画像の画像データである風紋画像データと当該風紋画像の濃淡を反転させた風紋反転画像の画像データである風紋反転画像データを生成する条件を有した補正テーブルと、
前記判定部により前記制御対象画像データであると判定された場合、前記補正テーブルに基づいて、前記判断部により中間調画像データがあると判断された前記一色である第１の色で前記入力された画像データの画像を前記インクジェットのノズルからインクを吐出して印刷用紙に印刷させ、前記第１の色と同系色である第２の色で前記風紋反転画像データの風紋反転画像を前記インクジェットのノズルからインクを吐出して第1の色で印刷された前記印刷用紙の前記風紋画像に重なるように印刷させる吐出制御手段と、を備える
ことを特徴とするインクジェット印刷装置。
【請求項２】
前記第１の色がブラックであり、前記第２の色がグレーである
ことを特徴とする請求項１に記載のインクジェット印刷装置。
【発明の詳細な説明】
【技術分野】
【０００１】
本発明は、複数色のインクを用いて印刷するインクジェット印刷装置に関する。
【背景技術】
【０００２】
ライン型のインクジェット印刷装置は、搬送ベルトにより搬送される用紙に対して、用紙の搬送方向と直交する方向に複数配置されたインクジェットヘッドによりインクの液滴を吐出することにより印刷を行う。
【０００３】
このようなライン型のインクジェット印刷装置では、様々な要因により、インクジェットヘッドから吐出された液滴に着弾位置ズレが生じ、これにより画像劣化が生じる場合がある。
【０００４】
特許文献１には、複数の液滴吐出口が形成された液体吐出ヘッドの吐出面と記録面との間の距離を把握し、当該距離に基づいて記録面上での着弾位置ずれ量を特定し、この特定した着弾位置ずれ量に応じて画像データを補正して中間階調処理を行う画像記録装置に関する技術が提案されている。
【先行技術文献】
【特許文献】
【０００５】
【特許文献１】特開２００７−２１８０７号公報
【発明の概要】
【発明が解決しようとする課題】
【０００６】
しかしながら、特許文献１に記載の画像記録装置では、後述する自己気流の影響を考慮していなかった。このため、自己気流が影響して画像劣化が生じるような場合に対処できなかった。具体的な説明を以下に行う。
【０００７】
ライン型のインクジェット印刷装置では、ヘッドの直下を搬送された用紙により気流が発生する。また、搬送方向上流側に設けられたノズルからインクが連続吐出されると、そのインク液滴は自己気流を伴い吐出されるため、搬送による気流を遮る壁のように作用する（以下、この形成された擬似的な壁をインク壁という）。
【０００８】
そして、搬送された用紙により発生する気流がインク壁にぶつかり、複雑に気流が乱れることがある。この乱気流により、吐出し着弾すべき位置からずれてしまうことがあり、これにより、いわゆる風紋と呼ばれる濃度ムラが生じる場合があった。
【０００９】
この風紋は、濃度が濃くもなく薄くもない中間調である中間調領域において発生した場合に最も目立つことが分かっている。濃度が濃い高濃度領域に風紋が発生する場合、隣り合う画素のインクがにじむと風紋が生じた箇所を埋めるため目立ちにくくなる。一方、濃度が低い低濃度領域に風紋が発生する場合、元々の画像に無色の画素が多いので、目立ちにくくなる。結果的に、中間調領域において風紋が発生した場合に最も目立つことになり、この中間調領域において風紋を目立たなくすることが切望されていた。
【００１０】
本発明は、上記課題に鑑みてなされたものであり、自己気流の影響により発生する中間調領域の風紋を目立たなくするインクジェット印刷装置を提供することを目的とする。
【課題を解決するための手段】
【００１１】
上記目的を達成するため、本発明に係るインクジェット印刷装置の第１の特徴は、搬送経路の上方に配置したインクジェットヘッドを有し、印刷ジョブに基づいて、前記インクジェットヘッドの各ノズルから複数色のインクを吐出して印刷用紙に印刷するインクジェット印刷装置であって、前記印刷ジョブとして入力された各色の画像データに一定領域の中間調画像があるか否かを判断する画像判断部と、前記インクジェットヘッドのノズル面と前記搬送経路上で搬送される印刷用紙の間隔であるギャップ量を取得するギャップ判断部と、前記画像判断部により中間調画像があると判断され、前記ギャップ判断部により取得されたギャップ量が所定以上である場合に、前記画像データを制御対象画像データであると判定する判定部と、前記制御対象画像データを前記インクジェットヘッドにより印刷することで発生すると予想した風紋画像の画像データである風紋画像データと当該風紋画像の濃淡を反転させた風紋反転画像の画像データである風紋反転画像データを生成する条件を有した補正テーブルと、前記判定部により前記制御対象画像データであると判定された場合、前記補正テーブルに基づいて、前記判断部により中間調画像データがあると判断された前記一色である第１の色で前記入力された画像データの画像を前記インクジェットのノズルからインクを吐出して印刷用紙に印刷させ、前記第１の色と同系色である第２の色で前記風紋反転画像データの風紋反転画像を前記インクジェットのノズルからインクを吐出して第1の色で印刷された前記印刷用紙の前記風紋画像に重なるように印刷させる吐出制御手段と、を備えることを特徴とするインクジェット印刷装置である。
【００１２】
上記目的を達成するため、本発明に係るインクジェット印刷装置の第２の特徴は、前記第１の色がブラックであり、前記第２の色がグレーであることを特徴とする請求項１に記載のインクジェット印刷装置である。
【発明の効果】
【００１３】
本発明に係るインクジェット印刷装置の第１の特徴によれば、入力された印刷ジョブに含まれる画像データが中間調画像データであり、所定以上のギャップにて印刷する場合に制御対象印刷画像データとみなされ、印刷することによって得られる画像に発生する風紋の風紋画像データと当該風紋の濃淡を反転させた風紋反転画像データを生成する。そして、中間調画像データである第１の色で入力された画像データの画像を印刷し、第１の色と同系色である第２の色で風紋反転画像データの風紋反転画像を第1の色で印刷された風紋画像に重なるように印刷する。このように、風紋により発生している濃淡に対し、濃淡を反転した画像を重ねるように印字することで、濃淡を均一にして風紋を解消する。
【図面の簡単な説明】
【００１４】
【図１】本発明の実施例１であるインクジェット印刷装置の構成を示す構成図である。
【図２】本発明の実施例１であるインクジェット印刷装置が備えるインクジェットユニットの平面図である。
【図３】本発明の実施例１であるインクジェット印刷装置が備えるインクジェットヘッドのノズルから吐出された液滴と発生した気流を模式的に示した図である。（ａ）は、用紙Ｐの搬送方向（副走査方向）上流側から見た図であり、（ｂ）は、斜視図である。
【図４】風紋の状態と風紋の対策を施した図である。
【図５】本発明の実施例１であるインクジェット印刷装置の機能構成を示した図である。
【図６】本発明の実施例１であるインクジェット印刷装置の処理手順を示したフローチャートである。
【発明を実施するための形態】
【００１５】
以下、本発明に係るインクジェット印刷装置の実施例１について図面を参照して説明する。なお、以下に説明する本発明に係る実施例１のインクジェット印刷装置１は、あくまで本発明に係るインクジェット印刷装置の一例であり、本発明の技術的思想の範囲内において適宜変更可能である。
【００１６】
＜インクジェット印刷装置の全体構成＞
本発明の実施例１では、用紙の搬送方向と直交する方向（主走査方向）に配列されたインクジェットヘッドを有し、搬送経路上で搬送された用紙に対して、画像データに基づいてインクジェットヘッドのノズルからインクを吐出して印刷するライン型のインクジェット印刷装置を例に挙げて説明する。
【００１７】
図１は、本発明の実施例１であるインクジェット印刷装置１の構成を示す構成図である。
【００１８】
図１に示すように、インクジェット印刷装置１は、サイド給紙部１０と、内部給紙部２０と、印刷部３０と、排紙部４０と、反転部５０とを備えている。
【００１９】
サイド給紙部１０は、用紙Ｐが積層される給紙台１１と、この給紙台１１から最上位置の用紙Ｐのみを給紙搬送路ＦＲ上へ搬送させる１次給紙部１２と、この１次給紙部１２によって搬送された用紙Ｐを循環搬送路ＣＲ上へ搬送する２次給紙部１４とを備えている。
【００２０】
内部給紙部２０は、用紙Ｐが積層される給紙台２１ａと、この給紙台２１ａから最上位置の用紙Ｐのみを給紙搬送路ＦＲ上へ搬送させる１次給紙部２２ａと、用紙Ｐが積層される給紙台２１ｂと、この給紙台２１ｂから最上位置の用紙Ｐのみを給紙搬送路ＦＲ上へ搬送させる１次給紙部２２ｂと、用紙Ｐが積層される給紙台２１ｃと、この給紙台２１ｃから最上位置の用紙Ｐのみを給紙搬送路ＦＲ上へ搬送させる１次給紙部２２ｃと、用紙Ｐが積層される給紙台２１ｄと、この給紙台２１ｄから最上位置の用紙Ｐのみを給紙搬送路ＦＲ上へ搬送させる１次給紙部２２ｄとを備えている。
【００２１】
このように、２次給紙部１４には、サイド給紙部１０及び内部給紙部２０から用紙Ｐが搬送され、さらに、後述する反転部５０からも用紙Ｐが搬送される。
【００２２】
そのため、搬送方向における２次給紙部１４の手前には、給紙された用紙Ｐの搬送経路と、一方の面が印刷された用紙が循環して搬送されてくる経路とが合流する合流地点が存在する。この合流地点を基準に、給紙機構側の経路を給紙搬送路ＦＲと称し、それ以外の経路を循環搬送路ＣＲと称している。
【００２３】
印刷部３０は、複数の印字ヘッドが組み込まれたインクジェットユニット３１と、インクジェットユニット３１の対向面に設けられた環状の搬送ベルト１３３とを備えており、２次給紙部１４により給紙された用紙Ｐは、環状の搬送ベルト１３３内に、用紙の搬送路面の裏面に対応して設置された吸引ファン１３１によって搬送ベルト１３３上に吸引され、所定の搬送速度で搬送されながら、インクジェットユニット３１から吐出されたインクにより用紙Ｐに印刷される。
【００２４】
印刷部３０により印刷された用紙Ｐは、循環搬送路ＣＲ上に配置された搬送ローラ等によって筐体内を循環搬送路ＣＲ上で搬送される。循環搬送路ＣＲ上には、循環搬送路ＣＲ上を搬送された用紙Ｐを排紙部４０へ誘導するか、又は循環搬送路ＣＲ上を再循環させるかを切り替える切り替え機構４３が備えられている。
切り替え機構４３は、用紙Ｐを、後述する排紙部４０又は反転部５０のいずれか１方へ誘導するために、切り替える。  
【００２５】
排紙部４０は、インクジェット印刷装置１の筐体から突出したトレイ形状をした排紙台４１と、排紙台４１に用紙Ｐを誘導する一対の排紙ローラ４２とを有している。そして、切り替え機構４３により排紙部４０に誘導された用紙Ｐは、排紙ローラ４２により排紙台４１に搬送され、排紙台４１に印刷面を下にして積載される。
【００２６】
反転部５０は、用紙Ｐを反転させる反転台５１と、循環搬送路ＣＲから反転台５１へ用紙Ｐを搬送し、又は反転台５１から循環搬送路ＣＲ上へ用紙Ｐを搬送する反転ローラ５２とを備えている。切り替え機構４３により反転部５０に誘導された用紙Ｐは、反転ローラ５２により循環搬送路ＣＲから反転台５１に搬送され、所定時間経過後、反転台５１から循環搬送路ＣＲへ搬送されることにより、循環搬送路ＣＲに対して表裏が反転する。そして、表裏が反転された用紙Ｐは、循環搬送路ＣＲ上に設けられた搬送ローラ５３等の複数のローラにより循環搬送路ＣＲ上を印刷部３０へ向かって搬送される。
【００２７】
また、インクジェット印刷装置１の全体を制御する制御部８０を有している。この制御部８０は、サイド給紙部１０と、内部給紙部２０と、印刷部３０と、排紙部４０と、反転部５０とを制御することにより、画像データに基づいて印刷処理を実行する。
【００２８】
図２は、本発明の実施例１であるインクジェット印刷装置１が備えるインクジェットユニット３１の平面図である。
【００２９】
インクジェットユニット３１は、主走査方向、即ち用紙Ｐの搬送方向と直交する方向に２列のノズルが配列されたライン型の複数のインクジェットヘッド１１０，１１２，１１４を有する。
【００３０】
そして、インクジェットユニット３１の下部を用紙Ｐが副走査方向（用紙Ｐの搬送方向）に搬送されながら、複数のインクジェットヘッド１１０，１１２，１１４からインクが吐出されることにより印刷される。
【００３１】
インクジェットユニット３１は、ブラック（Ｋ）のインクを貯留したインクジェットヘッド１１０ａ〜１１０ｆと、シアン（Ｃ）及びマゼンダ（Ｍ）のインクを貯留したインクジェットヘッド１１２ａ〜１１２ｆと、イエロー（Ｙ）のインクを貯留したインクジェットヘッド１１４ａ〜１１４ｆとを備えている。なお、インクジェットヘッド１１０ａ〜１１０ｆと、インクジェットヘッド１１２ａ〜１１２ｆと、インクジェットヘッド１１４ａ〜１１４ｆとは、吐出されるインク色が異なるが、同一の物理構造を有している。
【００３２】
インクジェットヘッド１１０ａ〜１１０ｆは、主走査方向に対して平行になるように、３００ｄｐｉの解像度を実現するピッチ間隔でノズルが配列された上流側のノズル列１２１と、３００ｄｐｉの解像度を実現するピッチ間隔でノズルが配列された下流側のノズル列１２３とが配置されている。２列のノズル列１２１，１２３は、主走査方向のノズルの位置がそれぞれずらして設けられており、２列のノズル列１２１，１２３から同色（ここでは、ブラック）のインクが吐出されることにより、６００ｄｐｉの解像度を実現する。
【００３３】
また、インクジェットヘッド１１０ａ〜１１０ｆには、ブラック（Ｋ）のインクを収容するインク室が設けられており、このインク室内にはピエゾ素子が配置されている。そして、供給された駆動信号に基づいて、ピエゾ素子にインクが吐出する駆動電圧が印加されることにより、インク室に連通するノズルからブラック（Ｋ）のインクを、ドロップ単位で吐出する。なお、図示しないが、インクジェットヘッド１１０ａ〜１１０ｆには、それぞれインクの温度を測定する温度計が備えられている。
【００３４】
このように、主走査方向に２列に配置されたノズル列１２１，１２３からブラック（Ｋ）のインクが吐出されることにより、６００（ｄｐｉ）の解像度で印字する。
【００３５】
一方、インクジェットヘッド１１２ａ〜１１２ｆは、主走査方向に対して平行になるように、３００ｄｐｉの解像度を実現するピッチ間隔でノズルが配列されシアン（Ｃ）のインクを吐出する上流側のノズル列１２４と、３００ｄｐｉの解像度を実現するピッチ間隔でノズルが配列されマゼンダ（Ｍ）のインクを吐出する下流側のノズル列１２５とが１列ずつ配置されている。
【００３６】
また、インクジェットヘッド１１２ａ〜１１２ｆには、それぞれシアン（Ｃ）のインクを収容するインク室と、マゼンダ（Ｍ）のインクを収容するインク室とが設けられており、このインク室内にはピエゾ素子が配置されている。そして、駆動信号に基づいてピエゾ素子にインクを吐出する駆動電圧が印加されることにより、シアン（Ｃ）、マゼンダ（Ｍ）それぞれのインク室に連通するノズルからシアン（Ｃ）、マゼンダ（Ｍ）それぞれのインクがドロップ単位で吐出される。なお、図示しないが、インクジェットヘッド１１２ａ〜１１２ｆには、それぞれインクの温度を測定する温度計が備えられている。
【００３７】
このように、主走査方向に２列に配置されたノズル列１２４，１２５のうち、上流側のノズル列１２４からシアン（Ｃ）のインクが吐出され、下流側のノズル列１２５からマゼンダ（Ｍ）のインクが吐出されることにより、シアン（Ｃ）、マゼンダ（Ｍ）がそれぞれ３００（ｄｐｉ）の解像度で印字される。
【００３８】
インクジェットヘッド１１４ａ〜１１４ｆは、３００ｄｐｉの解像度を実現するピッチ間隔でノズルが配列されたノズル列が、主走査方向に対して平行になるように２列に配列されており、上流側にはイエロー（Ｙ）のインクを吐出するノズル列１２７が配置され、下流側には、グレー（Ｇ）インクのノズル列１２８が配置されている。
【００３９】
また、インクジェットヘッド１１４ａ〜１１４ｆには、イエロー（Ｙ）のインクを収容するインク室と、グレー（Ｇ）インクを収容するインク室とが設けられており、このインク室内にはピエゾ素子が配置されている。そして、駆動信号に基づいてピエゾ素子にインクを吐出する駆動電圧が印加されることにより、イエロー（Ｙ）、グレー（Ｇ）それぞれのインク室に連通するノズルからイエロー（Ｙ）、グレー（Ｇ）それぞれのインクがドロップ単位で吐出される。
【００４０】
このように、主走査方向に２列に配置されたノズル列のうち、上流側のノズル列１２７からイエロー（Ｙ）のインクが吐出され、下流側のノズル列１２８からグレー（Ｇ）のインクが吐出されることにより、イエロー（Ｙ）、グレー（Ｇ）がそれぞれ３００（ｄｐｉ）の解像度で印字される。
【００４１】
なお、使用するインクは、ライトシアン（ＬＣ）やライトマゼンダ（ＬＭ）を用いてもよい。
【００４２】
また、上述したように、インクジェットヘッド１１０ａ〜１１０ｆと、インクジェットヘッド１１２ａ〜１１２ｆと、インクジェットヘッド１１４ａ〜１１４ｆとは、吐出されるインク色が異なるが、同一の物理構造を有しているので、１つのインクジェットヘッドに同色のインクを収容した場合、主走査方向の解像度を６００（ｄｐｉ）で印刷することができ、１つのインクジェットヘッドに異なる色のインクを収容した場合、３００（ｄｐｉ）の解像度で、異なる２色のインクで印刷することができる。
【００４３】
＜気流の影響による着弾位置ズレの説明＞
図３は、本発明の実施例１であるインクジェット印刷装置１が備えるインクジェットヘッドのノズルから吐出された液滴と発生した気流を模式的に示した図である。（ａ）は、用紙Ｐの搬送方向（副走査方向）上流側から見た図であり、（ｂ）は、斜視図である。
【００４４】
図３（ａ），（ｂ）に示すように、インクジェットヘッド１１０ａの主走査方向中央部の３つの上流側のノズル列１２１からインク液滴Ｄが連続吐出されたとする。このとき、そのインク液滴Ｄは自己気流を伴い吐出されるため、搬送による気流を遮る壁のように作用し、擬似的なインク壁を形成する。
【００４５】
自己気流は主走査方向において連続する複数のノズルがインクをそれぞれ吐出していることより強い流れになる。また、自己気流は同じノズルが連続する複数のラインのドットに対してインクの吐出を繰り返す場合にも高くなる。即ち、単位時間当たりにおける、各ノズルのインク吐出量が高い領域が存在すると、その領域において、ノズルから吐出されたインクを印刷用紙の搬送気流に抗して直進させる自己気流の発生度合いが高くなる。
【００４６】
一方で、用紙Ｐが副走査方向に搬送されることにより、この搬送に伴って搬送気流Ｆ１〜Ｆ６が発生する。そのうち、主走査方向中央部を流れる搬送気流Ｆ３，Ｆ４については、インク液滴Ｄの連続吐出により形成されたインク壁（自己気流）にぶつかることになる。これにより、搬送気流Ｆ３，Ｆ４は、形成されたインク壁を回り込むような流れを形成し、さらに、回り込んだ搬送気流Ｆ３，Ｆ４が、搬送気流Ｆ２，Ｆ５に影響を及ぼしたり、回り込んだ搬送気流Ｆ３，Ｆ４同士がぶつかり合ったりして、複雑に気流が乱れることがある。この乱気流により、吐出し着弾すべき位置からずれてしまうことがあり、これにより、いわゆる風紋と呼ばれる濃度ムラが生じる場合がある。
【００４７】
また、この風紋は、高濃度でもなく低濃度でもない中間調である中間調領域において発生した場合に最も目立つことが分かっている。
【００４８】
具体的には、中間調の連続吐出領域を含む画像データは、中程度の密度で吐出する画素が並ぶことになる。そして、この画像データに基づいて吐出されると、自己気流によってインク液滴の着弾位置ずれが発生し、着弾する画素と画素との間に相対的に大きめの間隔が空くことになる。なお、インク液滴は、着弾後ににじみが発生するものの、にじみを考慮しても中間調の連続吐出領域では、濃淡が目立ち易いため風紋が目立つことになる。このように、風紋が目立つ印刷画像の画像データは、風紋を低減させるよう何かしらの制御が必要な制御対象画像データであるといえる。
【００４９】
図４は、風紋の状態と風紋の対策を施した図である。
【００５０】
図４（ａ）は、高解像度のデータにおける中間調領域で発生すると予測される風紋領域２１２ｅを含んだ風紋画像２１２である。この風紋画像２１２は、インクが一定間隔で連続して吐出される中間調画像の領域が含まれているとき風紋が発生することをシミュレーションにより予想されたものである。図４（ｂ）は、図４（ａ）風紋画像２１２の濃度を反転した風紋反転画像２１３である。この風紋反転画像２１３は、図４（ａ）の風紋領域２１２ｅを打ち消すような風紋反転領域２１２ｆを含んでいる。図４（ｃ）は、入力された画像（図示せず）を印字した後に、図４（ｂ）に示す風紋反転画像２１３を印字された状態を示した風紋対策画像２１４である。すなわち、入力された画像と図４（ｂ）の風紋反転画像２１３の画像データを用いて印字すれば、図４（ｃ）のように風紋が解消した補正対策画像２１４を形成することができる。
【００５１】
＜インクジェット印刷装置１の機能構成＞
次に、本発明の実施例１であるインクジェット印刷装置１の機能構成について説明する。
【００５２】
図５は、本発明の実施例１であるインクジェット印刷装置１の機能構成を示した図である。
【００５３】
図５に示すように、インクジェット印刷装置１は、サイド給紙部１０と、内部給紙部２０と、印刷部３０と、排紙部４０と、反転部５０と、操作パネル部７０と、制御部８０とを備える。これらの構成のうち、サイド給紙部１０と、内部給紙部２０と、印刷部３０と、排紙部４０と、反転部５０とについては、上述したので、説明を省略する。
【００５４】
制御部８０は、ＣＰＵ８１と、ＣＰＵ８１の動作プログラムや各種テーブル等を格納したＲＯＭ８２と、画像読取り部（図示せず。）が読取った画像データまたはコンピュータ装置（図示せず。）等が送信してきた画像データ、さらには操作パネル部７０またはコンピュータ装置（図示せず。）からの各種印刷条件を含む印刷ジョブを記憶するＲＡＭ８３を有している。
【００５５】
ＣＰＵ８１は、ＲＯＭ８２に格納された動作プログラムを実行することにより、本装置全体、すなわちサイド給紙部１０と、内部給紙部２０と、印刷部３０と、排紙部４０と、反転部５０と、操作パネル部７０と等の動作を制御する。また、ＣＰＵ８１は、判定部８１ａと、インク吐出制御部８１ｂとを実装する。
【００５６】
判定部８１ａは、印刷のページごとに、用紙種類や色成分毎の画像データを取得し、ＲＯＭ８２に記憶されたテーブルに基づいて、制御対象画像データであるか否かを判定する。すなわち、判定部８１ａは、印刷するための画像データを印刷する際の自己気流の発生度合いが高いか否かを判定するため、印刷ジョブに含まれる画像データの解像度が高解像度であるか否か、画像データ内の各画素の濃度が同一で所定範囲以上ある中間調画像データであるか否か、さらに、所定値以上のギャップがあるか否かなどを判定する。
ギャップとは、インクジェットユニット３１の対向面に設けられた環状の搬送ベルト１３３上を搬送される印刷用紙との間隔のことである。ギャップは、使用する印刷用紙の種類により特定されるものである。
【００５７】
インク吐出制御部８１ｂは、判定部８１ａにより前述の条件を満たし制御対象画像データであると判定されると、ＲＯＭ８２に基づいて図４（ａ）に示すような予想される風紋領域２１２ｅを含んだ風紋画像２１２の画像データを生成する。そして、風紋領域２１２ｅ打ち消すように風紋画像２１２の濃度を反転させた風紋反転画像２１３の画像データを生成する。
【００５８】
インク吐出制御部８１ｂは、入力された画像データと図４（ｂ）に示す風紋反転画像２１３の画像データに基づいて、図４（ｃ）に示すような印刷画像２１４をインクジェットヘッド１１０，１１４のノズルから吐出して印字する。具体的には、入力された画像データをブラック（Ｋ）に割り当て、図４（ｂ）の風紋反転画像２１３の画像データをグレー（Ｇ）に割り当てドロップデータを算出し、インクジェットヘッド１１０，１１４のノズルから吐出して印字する。
【００５９】
一方、判定部８１ａにより、制御対象画像データでないと判定された場合、図４（ｂ）のような画像データを生成することなく入力された画像データに基づいて画像を印刷するようにインクジェットヘッド１１０，１１４を制御する。
【００６０】
ここで、図４（ａ）や図４（ｂ）に示す画像データは、ＲＯＭ８２に記憶されたテーブルに基づいて生成される。ＲＯＭ８２には、主走査方向において一定間隔で連続する画素数、搬送ベルト１３３により定まる副走査方向の画素の間隔、連続吐出する時間、単位面積当たりのドロップ数と使用する印刷用紙の用紙種類やインクの色成分やギャップなどが関連付けられて記憶されており、入力された条件が定まれば、所定の風紋画像データ及び風紋反転画像が生成される。なお、用紙種類は、マット紙などのにじみの影響が小さい用紙では、中間調にて風紋が目立つ傾向がある。
【００６１】
主走査方向において一定間隔で連続する画素数は主走査方向の画素の密度を示し、副走査方向の画素の間隔は副走査方向の画素の密度である。各方向の画素の密度は、画像データの解像度が高解像度であるか否かを判定するための条件となる。
【００６２】
また、画素の密度の他、単位時間あたりに吐出するドロップ数若しくは階調値などにより入力された画像データに中間調領域があるか否かを判定する。
【００６３】
すなわち、ＲＯＭ８２のテーブルには、制御対象画像データであるか否かを判定するための条件や風紋画像の画像データや風紋を打ち消すための風紋反転画像の画像データを生成するための条件が記憶されている。なお、このテーブルは予め実験的に求められたものである。
【００６４】
また、本実施形態のように、ブラック（Ｋ）とグレー（Ｇ）に着目したのは、ＣＩＥＬａｂやＣＩＥＸＹＺを参照したときの同系色であり、実験的に最も効果があったものだからである。したがって、ブラック（Ｋ）とグレー（Ｇ）以外のＣインクなどでも効果を奏する。
【００６５】
＜インクジェット印刷装置１の作用＞
次に、本発明の実施例１であるインクジェット印刷装置１の詳細な処理手順について説明する。
【００６６】
図６は、本発明の実施例１であるインクジェット印刷装置１の処理手順を示したフローチャートである。
【００６７】
図６に示すように、まず、制御部８０のＣＰＵ８１は、印刷ジョブを受信した場合（ステップＳ１００“ＹＥＳ”）、受信したジョブの画像データの解像度と用紙種類を取得する（ステップＳ１０３）。そして、変換された画像データが高解像度でビットマップ化されたものか、または低解像度でビットマップ化されたものかを判定する（ステップＳ１０５）。本実施形態の場合、高解像度は６００ｄｐｉであり、低解像度は３００ｄｐｉに相当する。
【００６８】
ステップＳ１０５において、画像データが低解像度でビットマップ化されたものであると判定された場合（ＮＯ）、風紋がほとんど目立たないため、制御部８０のＣＰＵ８１のインク吐出制御部８１ｂは、入力された画像データのドロップデータを算出した後（ステップＳ１３０）、印刷処理を実行する（ステップＳ１６０）。
【００６９】
一方、画像データが高解像度でビットマップ化されたものであると判定された場合（ＹＥＳ）、ＣＰＵ８１は、受信した印刷ジョブからページごとに、入力されたブラック（Ｋ）の画像データが一定領域以上の中間調画像があるか否かを判定する（ステップＳ１０６）。
【００７０】
判定部８１ａは、例えば、用紙種が“普通紙”の場合、ブラック（Ｋ）インクの単位面積当たりのドロップ数が“３”〜“６”（ドロップ）の場合、このブラック（Ｋ）インクで形成される領域は中間調領域と判定される。
【００７１】
ステップＳ１０６において、入力された画像データに中間調画像があると判定された場合（ＹＥＳ）、ＣＰＵ８１の判定部８１ａは、ギャップが所定値以上か否かを判定する（ステップＳ１２０）
【００７２】
一方、ステップＳ１０６において、入力された画像データに中間調画像がないと判定された場合（ＮＯ）、入力された画像データのドロップデータを算出した後（ステップＳ１３０）、画像を印刷する（ステップＳ１６０）。
【００７３】
印刷される用紙は、用紙自体の厚みや、封筒などの用紙の形状が異なるので、用紙がインクジェットユニット３１に接触することなく適切に印刷できるように、この用紙種類に応じてギャップが設定される。そこで、判定部８１ａは、ステップＳ１０３において取得された用紙種類に基づいてギャップを決定し、決定したギャップが所定値以上か否かを判定する。ギャップは、広いほど着弾位置ずれが発生し易くなり、風紋が発生しやすい傾向がある。
【００７４】
そこで、ステップＳ１２０において、ギャップが所定値未満であると判定された場合（“ＮＯ”）、着弾位置ずれが発生しにくいので、インク吐出制御部８１ｂは、入力された画像データのドロップデータを算出した後（ステップＳ１３０）、画像を印刷する（ステップＳ１６０）。
【００７５】
一方、ギャップが所定値以上であると判定された場合（ステップＳ１２０“ＹＥＳ”）、ＣＰＵ８１は、印刷したときに風紋が生じるため、風紋を消す処理を施す。はじめに、ＲＯＭ８２に基づいて、図４（ａ）に示すような印刷ジョブの条件に対応して形成されると予想される風紋画像２１２の画像データを生成し、図４（ｂ）に示すような風紋の濃淡を反転させた風紋反転画像２１３の画像データを生成する（ステップＳ１２５）。
【００７６】
ＣＰＵ８１は、入力された画像データをブラック（Ｋ）に割り振り、ステップＳ１２５において生成された風紋反転画像２１３の画像データをグレー（Ｇ）に割り振り、割り振られた画像データのドロップデータを算出する（ステップＳ１３０）。
【００７７】
そして、インク吐出制御部８１ｂは、算出したドロップデータに基づいて画像を印刷する（ステップＳ１６０）。
【００７８】
以上のように、本実施形態にあるインクジェット印刷装置１によれば、高解像度であり、中間調の画像が一定領域以上存在する場合であって、所定以上のギャップがある場合、風紋反転画像２１３の画像データを生成し、入力された画像に風紋反転画像２１３を重ねて印字する印刷処理をすることで、風紋の濃淡がなくなり濃度が均一化されて風紋を解消できる。
【００７９】
また、本実施形態では、用紙の搬送方向と直交する方向（主走査方向）に配列されたインクジェットヘッドを有し、搬送経路上で搬送された用紙に対して、画像データに基づいてインクジェットヘッドのノズルからインクを吐出して印刷するライン型のインクジェット印刷装置を例に挙げて説明したが、これに限らない。
【００８０】
用紙の搬送方向と直交する方向（主走査方向）に移動するインクジェットヘッドを有し、搬送された用紙に対して、画像データに基づいてインクジェットヘッドのノズルからインクを吐出して印刷するシリアル型のインクジェット印刷装置でもよい。
【００８１】
なお、本実施形態では、インクジェットヘッド１１０，１１４のブラック（Ｋ）とグレー（Ｇ）を用いたモノクロ印刷を説明したが、インクジェットヘッド１１０，１１２，１１４を用いたカラー印刷にしてもよい。この場合、シアン（Ｃ）、マゼンタ（Ｍ）、イエロー（Ｙ）には、入力された画像又は風紋反転画像２１３の画像データのいずれかを割り振ればよい。
【００８２】
制御対象画像か否かを判定する条件は、画像データが高解像度か否か、一定以上の中間調画像があるか否か、所定以上のギャップであるか否かを判断できればよく、判定する順番は問わない。
【００８３】
さらに、モノクロ印刷が選択された場合に、入力された中間調画像を含む画像データのうち高濃度の領域の濃度を低減させてもよい。これにより、中間調画像のうち高濃度の部分と低濃度の部分の濃度差が狭まることで、濃度むらが低減される結果、風紋を目立ちにくくすることができる。ここで、モノクロ印刷に着目したのは、同じ画像を再現する場合にカラー印刷よりも使用するインク量が少なくなるため、風紋が発生しやすいからである。
【００８４】
シリアル型のインクジェット印刷装置では、用紙の搬送方向と直交する方向（主走査方向）に移動する１つのインクジェットヘッドに、用紙の搬送方向（副走査方向）に対して平行になるように複数のノズル列を配列されており、複数のノズル列毎に副走査方向のノズルの位置をそれぞれずらして設けられ、搬送された用紙が停止しているときに、インクジェットヘッドを主走査方向に移動しながら、用紙に対して複数のノズル列のうち少なくとも１列のノズル列からインクを吐出する。
【００８５】
即ち、インクジェットヘッドは、複数のノズル列が平行に配列され、用紙Ｐに対して相対移動しながらノズル列からインクを吐出するように構成されていればよい。
【符号の説明】
【００８６】
１…インクジェット印刷装置
１０…サイド給紙部
１１…給紙台
１２…１次給紙部
１４…２次給紙部
３０…印刷部
３１…インクジェットユニット
４０…排紙部
５０…反転部
７０…操作パネル部
８０…制御部
８１…ＣＰＵ
８１ａ…判定部
８１ｂ…インク吐出制御部
８２…ＲＯＭ
８３…ＲＡＭ
１１０，１１２，１１４…インクジェットヘッド
【図１】
2017159493.tif 000003
【図２】
2017159493.tif 000004
【図３】
2017159493.tif 000005
【図４】
2017159493.tif 000006
【図５】
2017159493.tif 000007
【図６】
2017159493.tif 000008